(57)【要約】  本発明は、突出している少なくとも１つの剛性ピン（５）を担持する少なくとも１つの回転部材（２）を備えた、使用者の体表面に押し付けることを意図したマッサージ及び美容ケア装置（１）であって、前記ピンが、適用体表面と接触させることを意図した外表面を有する少なくとも１つの周囲クッション（６）と関連付けられ、前記クッションは、クッションが最大厚さを有し、且つ使用者の体表面に対するピンの圧力をほぼ感知できなくなるところまで緩衝する静止位置と、クッションの厚さが低下し、ピンが適用体表面に感知し得る圧力を加えることが可能な圧縮位置との間を弾性変形可能であることを特徴とする装置（１）に関する。
2018529459.tif 000002
【特許請求の範囲】
【請求項１】
突出している少なくとも１つの剛性ピン（５、１５、２５、３５）を担持する少なくとも１つの回転部材（２、１１）を備えた、使用者の体表面に押し付けることを意図したマッサージ及び美容ケア装置（１、１０、２０、３０、４０、５０）であって、前記ピンが、適用体表面と接触させることを意図した外表面を有する少なくとも１つの周囲のクッション（６、１６、３６）と関連付けられ、前記クッションは、前記クッションが最大厚さを有し、且つ前記使用者の前記体表面に対する前記ピンの圧力をほぼ感知できなくなるところまで緩衝する静止位置と、前記クッションの厚さが低下し、前記ピンが前記適用体表面に感知し得る圧力を加えることが可能な圧縮位置との間を弾性変形可能であることを特徴とする、装置（１、１０、２０、３０、４０、５０）。
【請求項２】
前記回転部材が、回転するように取り付けられたローラ（２、１１）であることを特徴とする、請求項１に記載の装置（１、１０、２０、３０、４０、５０）。
【請求項３】
前記回転部材（２、１１）が、間隔を置いて並んだ、且つ前記回転部材の周囲にわたって分配された複数のピン（５、１５、２５、３５）を備えることを特徴とする、請求項１又は２に記載の装置（１、１０、２０、３０、４０、５０）。
【請求項４】
前記ピン（５、１５、２５、３５）が少なくとも１列に、好ましくは前記回転部材（２、１１）の略長手方向軸に沿って配列されることを特徴とする、請求項３に記載の装置（１、１０、２０、３０、４０、５０）。
【請求項５】
前記ピン（５、１５、２５、３５）が、前記回転部材（２、１１）の略長手方向軸を囲む少なくとも１つのリング状に配列されることを特徴とする、請求項３又は４に記載の装置（１、１０、２０、３０、４０、５０）。
【請求項６】
前記クッション（６、１６、３６）が、少なくとも１つのエラストマー材料、特に、ＳＥＢＳ、ＳＢＳ、Ｅｘａｃｔ、Ｓａｎｔｏｐｒｅｎｅで作られることを特徴とする、請求項１〜６のいずれか一項に記載の装置（１、１０、２０、３０、４０、５０）。
【請求項７】
前記クッション（６、１６）が前記ピン（５、１５、２５）を覆うことなく取り囲み、前記クッションは、前記ピンが前記クッションの前記外表面と面一に位置するか又は前記外表面から後退した静止位置と、前記ピンが前記クッションから突出する圧縮位置との間を変形可能であることを特徴とする、請求項１〜６のいずれか一項に記載の装置（１、１０、２０、５０）。
【請求項８】
前記クッション（６、１６）が前記回転部材（２、１１）上に前記ピン（５、１５、２５）の周りにオーバーモールドすることにより作製されることを特徴とする、請求項７に記載の装置（１、１０、２０、５０）。
【請求項９】
前記クッション（３６）が前記ピン（３５）の一方の端部を被覆することを特徴とする、請求項１〜６のいずれか一項に記載の装置（３０、４０）。
【請求項１０】
前記クッション（３６）が、前記ピン（３５）の上に載った前記回転部材（１１）の周りに配置されたスリーブの形態をとることを特徴とする、請求項９に記載の装置（３０、４０）。
【請求項１１】
前記スリーブ（３６）が熱収縮材料で作られることを特徴とする、請求項１０に記載の装置（３０、４０）。
【請求項１２】
化粧品製品（Ｐ）を収容することを意図したリザーバ（１００）を更に備えることを特徴とする、請求項１〜１１のいずれか一項に記載の装置（５０）。
【発明の詳細な説明】
【技術分野】
【０００１】
本発明は、使用者の体表面に適用されることを意図したマッサージ及び美容ケア装置に関する。
【背景技術】
【０００２】
マイクロニードル療法は、皮膚を刺激してコラーゲン及びエラスチン繊維の産生を増加させることを目的とした施術である。
【０００３】
コラーゲン及びエラスチンのこの新生により、肌のきめが改善され、皮膚障害が軽減される。
【０００４】
この施術は、皮膚に穴を開けて真皮層に貫通することを意図した一群の極細針を備える装置を用いて行われる。これは、化粧用又は治療用クリームなどの美容ケア製品と併用して実施され得る。
【０００５】
より具体的には、マイクロニードルによってマイクロチャネルが作り出され、それにより皮膚の深層部への製品の浸透が促進される。
【０００６】
従ってこれは侵襲的技法である。
【０００７】
かかる装置については、特に、特許文献１、特許文献２及び特許文献３に記載されている。
【０００８】
詳細には、特許文献３には、皮膚に穴を開けて真皮層に貫通することを意図した、突出した一群の針を担持するローラについて記載している。このローラは関連製品を良好に分配させる。
【０００９】
しかしながら、これらの装置は、針が有効で皮膚に穴を開ける治療的及び侵襲的モードでのみ使用することができる。従って、使用者は、このローラを単に製品の塗布に、針で皮膚に穴を開けることなく使用することはできない。これは、単一の「オール・オア・ナッシング」の動作モードである。
【００１０】
これらの装置は極細の針を用いるが、針の使用は必ずしも心地良いものではない。更に、特に敏感な皮膚は跡が付いたり又は赤くなったりすることもあり、これは一時的とはいえ見栄えが悪い。
【００１１】
更に、常に皮膚に穴を開ける必要があるとは限らず、使用者は単に多少とも深いマッサージ効果を望むこともあり得る。
【００１２】
具体的には、皮膚へのマッサージ要素又は刺激要素の適用が、微小循環を局所的に活性化させるには十分であり、これが細胞の再生を促進し、また活性製品の浸透も助ける。
【００１３】
詳細には、皮膚の微小循環の活性化は４つの主要な機能を果たし、即ち、様々な皮膚層の細胞への栄養の供給；血管収縮緊張による動脈圧の維持；体重に起因する長期の虚血に耐える皮膚；及び体温調節に必要な血管運動反応性である。
【先行技術文献】
【特許文献】
【００１４】
【特許文献１】中国実用新案第２１９７０４２号明細書
【特許文献２】韓国公開特許第２０１００００５５３３Ａ号公報
【特許文献３】国際公開第０８００４８１８号パンフレット
【発明の概要】
【発明が解決しようとする課題】
【００１５】
従って、より心地良く快適な利用を提供すると同時に所望の利益をもたらす皮膚刺激装置が必要とされている。また、漸進的な適用効果を可能にする多モードの装置も必要とされている。
【課題を解決するための手段】
【００１６】
これを実現するため、本発明は、突出している少なくとも１つの剛性ピンを担持する少なくとも１つの回転部材を備えた、使用者の体表面に押し付けることを意図したマッサージ及び美容ケア装置を目標とする。
【００１７】
本装置は、ピンが、適用体表面と接触させることを意図した外表面を有する少なくとも１つの周囲クッションと関連付けられ、クッションは、クッションが最大厚さを有し、且つ使用者の体表面に対するピンの圧力をほぼ感知できなくなるところまで緩衝する静止位置と、クッションの厚さが低下し、ピンが適用体表面に感知し得る圧力を加えることが可能な圧縮位置との間を弾性変形可能であることを特徴とする。
【００１８】
このように、ピンと関連付けられたクッションであって、体表面に対するピンの圧力を緩衝し、特にピンを感知できない又はほぼ感知できないようにする位置と、ピンが使用者の皮膚に感知し得る圧力を加えることが可能な圧縮位置との間を弾性変形可能なクッションを提供することにより、前記使用者は自分で適用圧力を定量し、多少とも深いマッサージ効果を得ることができる。
【００１９】
かかるアプリケータは、特に、クッションの表面を用いて化粧品製品を皮膚に塗り広げることを可能にする。使用者が押圧するとクッションが圧縮され、剛性ピン自体は圧縮されないため、それによって剛性ピンの端部が突き出てくる。これにより皮膚をマッサージするか又は軽く突くことが可能となり、微小循環が活性化し、皮膚が整えられ、及び活性製品の浸透が促進される。
【００２０】
使用者自身がマッサージ力を容易に調整することができるため、かかる装置は顔及び頭皮の両方、手又は体の任意の他の部位に使用することができる。
【００２１】
加えて、顕著な圧力なしに、又は回転部材を転がすのに必要な力以外の力なしに適用すると、使用者は装置を単なるクリーム又は他の何らかの化粧品製品又は美容ケア製品の塗布に使用することができる。
【００２２】
「ピン」は、一般に、回転部材（コアを形成する）への接続に介される基部と、使用者の皮膚に圧力をかけることを意図した反対側の自由端とを有する全体的な形状が長尺状の個別のマッサージ要素を意味する。
【００２３】
詳細には、ピンは円錐形をとってもよく、細く尖った端部を有し得る。適切な場合、ピンは針であってもよい。
【００２４】
或いは、マッサージ効果を生じさせる任意の形態の端部を企図することが可能である。
【００２５】
ピンは全体的には半径方向成分を有する方向に延在する。好ましくは、ピンは実質的に半径方向に延在する。
【００２６】
好ましくは、ピンは、剛性のプラスチック材料、特に熱可塑性材料で作られる。好ましくは、ピンは回転部材の一体部分として、特に成形によって作製される。
【００２７】
「剛性」とは、クッションと比べて比較的硬く、好ましくは使用圧力を加えても変形不能であることを意味する。
【００２８】
全く明らかなことに、ピンの剛性は提供しようとするマッサージ効果に依存し、当業者はそれに従いピンの剛性を調整することが可能であろう。この剛性は、特に前記ピンの材料及び／又は断面幅を変えることによって調整され得る。
【００２９】
例として、ピンの先端が、０．３ｍｍより小さい、又は更には０．１ｍｍより小さい寸法の断面を有する。ピンの基部それ自体は所望の剛性に応じて幅広であっても（例えば２〜３ｍｍを含む）又は細くてもよい（例えば０．４〜１ｍｍを含む）。
【００３０】
ピンの高さは重要でない。極めて細長いピンを成形によって製造し易くするには、前記ピンの射出成形及び離型がより容易となり得るように短い高さが好ましいこともあり得る。ピンが幅広の基部を有する場合、ピンは難なく高くすることができる。
【００３１】
回転部材は、有利には間隔を置いて並んだ幾つものピンを担持しており、全てのピンがクッション、好ましくはそれらのピンが共同で共有するクッションと関連付けられている。
【００３２】
好ましくは、回転部材は、回転するように取り付けられたローラである。かかる部材を使用することにより、装置へのこの部材の取付けが容易になり、装置を適用体表面上で動かし易くなる。適切な場合、ローラはまた、関連化粧品製品の正しい適用も可能にする。
【００３３】
有利には、回転部材は着脱可能に取り付けられる。従って、所望の適用効果に応じて交換することのできる数種の回転部材を提供することが可能である。この回転部材はまた、清掃又は洗浄もし易いものとなり得る。
【００３４】
回転部材の直径は、典型的には約５０ｍｍ以下の範囲であり得る。
【００３５】
回転部材の直径は、特に１０〜２０ｍｍ、好ましくは１０〜１５ｍｍに含まれ得る。かかる寸法は、顔面適用に特に良く適している。かかる寸法は特に、顔面などの曲線が多い表面をなぞることを最適に可能にする。
【００３６】
有利には、回転部材は、間隔を置いて並んだ、且つ前記回転部材の周囲にわたって分配された複数のピンを備える。従ってピンの端部が、クッションが位置決めされる包絡面を画定する。
【００３７】
好ましくは、ピンは、使用者がそれらを個々に感じ取ることができるのに十分なよい間隔を置いて並んでいる。
【００３８】
そのためには、ピンは十分な間隔を置いて並んでいる必要がある。好ましくは、２つの隣接するピンの間の距離は３ｍｍより大きく、又は更には、極めて好ましくは５ｍｍより大きくなり得る。
【００３９】
好ましくは、ピンは少なくとも１列に、好ましくは回転部材の略長手方向軸に沿って配列される。
【００４０】
有利には、ピンは５列以上１０列未満に配列される。有利には、ピンは６〜８列、好ましくは６列に配列される。
【００４１】
これは、５又は６列より少ないと、適用体表面に沿って装置を進める際に「がたつく」リスクがあるためである。逆に、８〜１０列より多いと、ピンの間隔が詰まり過ぎ、前記ピン同士の隔たりがもはや十分に明白でなくなる。関連のクッションが前記ピンの間で十分に圧縮されることができず、結果としてマッサージ効果が低下する。
【００４２】
或いは又は加えて、ピンは、回転部材の略長手方向軸を囲む少なくとも１つのリング状に配列される。好ましくは、ピンは４つのリング状に配列される。
【００４３】
有利には、クッションは少なくとも１つのエラストマー材料、特にＳＥＢＳ（スチレン−エチレン−ブタジエン−スチレン）、ＳＢＳ（スチレン−ブタジエン−スチレン）、Ｅｘａｃｔ（登録商標）、Ｓａｎｔｏｐｒｅｎｅ（登録商標）、シリコーン、Ｄｅｓｍｏｐａｎ（登録商標）、Ｖｉｓｔａｍａｘｘ（登録商標）、ニトリル、ブチル、Ｅｎｇａｇｅ（登録商標）で作られる。クッションの作成には、かかる極度に圧縮性の材料が特に適している。
【００４４】
１つの第１の実施形態によれば、クッションはピンを覆うことなく取り囲み、前記クッションは、ピンがクッションの外表面と面一に位置するか又は前記外表面から後退した静止位置と、ピンがクッションから突出する圧縮位置との間を変形可能である。
【００４５】
従って圧縮力がかかると、クッションを形成する材料がピンの間で圧縮され、前記ピンが使用者の体表面と直接接触し、顕著なマッサージ効果をもたらす。
【００４６】
好ましくは、クッションは、回転部材上にピンの周りにオーバーモールドすることにより作製される。従って本装置はその設計及び製造の点で比較的単純なままであり、クッションを回転部材の製造後にその上に直接作製することが可能である。
【００４７】
第２の実施形態によれば、クッションはピンの一方の端部を被覆する。圧縮力が加えられると、クッションを形成する材料がピンの端部上に圧縮される。クッションの厚さは使用者がピンの剛性及びその効果を皮膚上に感じるまで低下する。ピンは使用者の体表面と直接接触することはなく、最低限度の緩衝が提供され得る。
【００４８】
好ましくは、ピンの端部上のクッションの厚さは、圧縮されていない静止状態では１ｍｍ以下である。
【００４９】
更に、かかる実施形態では、本装置は製品の使用後に容易に清掃することができる。
【００５０】
有利には、クッションは、ピンの上に載った回転部材の周りに配置されたスリーブの形態をとる。
【００５１】
代替形態の実施形態によれば、スリーブは熱収縮材料で作られる。これは特にポリオレフィンであってもよい。従って、スリーブは回転部材とピンの高さを合わせた組立体より大きい直径に作られてもよく、スリーブの装着がはるかに容易になる。
【００５２】
加えて、スリーブがピン上にそれを部分的に囲んで収縮した後は、クッションの外周面は平面状でない。詳細には、前記表面はピン間に中空領域を有する。これは特にピン領域を強調する。中空領域はまた、適切な場合には製品リザーバにもなる。
【００５３】
本発明はまた、化粧品製品を収容することを意図したリザーバを更に備えることを特徴とする、本発明に係る装置にも関する。
【００５４】
本発明は、添付の図面に関する以下の詳細な説明を読むことにより更に理解されるであろう。
【図面の簡単な説明】
【００５５】
【図１】図１ａ及び図１ｂは、第１の実施形態の第１の代替形態に係る装置のそれぞれ長手方向断面及び側面図の概略図である。
【図２】図２ａ及び図２ｂは第１の実施形態の第２の代替形態に係る概略図である。
【図３】図３ａ及び図３ｂは第１の実施形態の第３の代替形態に係る概略図である。
【図４】図４ａ及び図４ｂは、第２の実施形態の第１の代替形態に係る装置のそれぞれ長手方向断面及び側面図の概略図である。
【図５】図５ａ及び図５ｂは第２の実施形態の第２の代替形態に係る概略図である。
【図６】図６は、化粧品製品リザーバ及び分配システムに取り付けられた前出の実施形態のいずれか１つに係る装置の長手方向断面の概略図である。
【発明を実施するための形態】
【００５６】
図１ａ及び図１ｂは、第１の実施形態に係るマッサージ及び美容ケア装置１を示す。
【００５７】
装置１は、スピンドル３の周りに回転するように取り付けられたシリンダ２を含む。スピンドル３は、例えばハンドルなど、把持するための部材に接続したヨーク（図示せず）のアーム間への設置を可能にすることを意図した端部ピン４を備えている。シリンダは長さ約２２ｍｍ×外径約８．２ｍｍである。
【００５８】
シリンダ２はその周囲に一組の半径方向外側に突出したピン５を担持している。より具体的には、シリンダ２は、各々４本のピンの、一組の６列の長手方向列を担持している。これらの列はシリンダ２の周りに均等に分配されている。
【００５９】
ピン５は長手方向に５．５ｍｍずつ間隔を置いて並んでいる。ピン５の高さは約１．５ｍｍであり、シリンダ２の総外径は１１．２ｍｍとなる。ピン５は約０．４ｍｍ幅の基部を有する。ピン５の自由端、又は先端は０．０７５ｍｍの半径を有する。
【００６０】
このようにしてシリンダ２／スピンドル３及びピン５を含む組立体がスパイク付きローラを形成する。
【００６１】
ローラは、詳細には比較的硬質の熱可塑性材料の射出成形によって作製されてもよい。
【００６２】
本願によれば、可撓性材料がシリンダ２の周りにピン５を取り囲んでクッション６を形成するようにして成形される。可撓性材料は、詳細には熱可塑性エラストマーである。
【００６３】
より具体的には、可撓性材料はシリンダ上に、圧縮されていない状態でそれがピンの先端と面一に位置するような厚さにオーバーモールドされる。
【００６４】
このようにクッション６は、適用体表面と接触させることを意図した圧縮可能な外表面を有する。
【００６５】
クッション６は、前記クッションが最大厚さを有し、且つピン５の先端と面一に位置する（圧縮されていない）静止位置と、前記クッション６の厚さが低下し、且つピン５の先端が前記クッション６から突出する圧縮位置との間を弾性的に変形することが可能である。
【００６６】
従って、静止位置では、クッション６に妨げられてピン５を適用面に押し付けることができず、ピン５は使用者に感知し得るほどの感触を与えない。
【００６７】
対照的に、圧縮位置では、クッション６はピン５の先端から僅かに後退しており、ピン５が適用体表面にそのマッサージ効果を及ぼすことが可能である。
【００６８】
当然ながら、軟質の弾性材料をそれが静止位置で単にピン５の先端と面一であるのでなくそれを越えて延在するようにオーバーモールドすることも全く可能である。単にピンを有効にするために必要な圧力が高くなるだけである。
【００６９】
図２ａ及び図２ｂは、第１の実施形態の代替形態に係るマッサージ及び美容ケア装置１０を示す。
【００７０】
装置１０は、本質的に、シングルピースとして作られた回転部材１１を備える点が装置１と異なる。回転部材１１の直径（クッションを除き且つピンを除く）は約５ｍｍである。
【００７１】
更に、これはやや丸みを帯びた縁部のクッション１６を備える。より具体的には、クッションは長手方向断面が卵形である。従って装置１０の外径は端部よりも中央でやや大きくなる。更に、端部が、円弧の形態に丸みを帯びた断面を有する。
【００７２】
また、装置１０は装置１よりもやや長くて細いピン１５を備えることも注記されるであろう。これに伴い、良好な剛性を保つため、ピン１５の基部は幅広にされる。
【００７３】
図３ａ及び図３ｂは、ピン２５のサイズの点のみが装置１０と異なる装置２０を示す。具体的には、ピン２５はより広い基部を有し、それほど細長くないものになっている。
【００７４】
従って、ピン２５があまり急でない傾斜を呈する断面を有することになる。この傾斜はクッションの圧縮を妨害する傾向がある。
【００７５】
このように、ピンの形状によってもクッションの圧縮特性を制御可能であることが理解されるであろう。従って、これにより、前記ピンを有効にするために使用者が加える必要のある力を調整することが可能である。
【００７６】
図４ａ及び図４ｂは、第２の実施形態に係る装置３０を示す。装置３０は、本質的に、ピン３５の先端を覆うクッション３６を備える点が前出の装置１、１０及び２０と異なる。
【００７７】
例示される実施形態のこの代替形態によれば、クッション３６は、ピン３５に被せて回転部材１１の周りに配置されるエラストマースリーブの形態で作製される。
【００７８】
クッション３６を形成するエラストマースリーブは、例えば、靴下のように、プライヤを用いてスリーブの口を広げてからそれを回転部材１１及びそのピン３５上に摺動させることにより装着される。
【００７９】
好ましくは、スリーブは１ｍｍ以下の厚さのエラストマー壁を有する。明らかに、緩衝効果は使用するエラストマー材料の圧縮率にも依存する。
【００８０】
クッションを適所に保持して、それが長手方向に動く可能性を抑えるため、回転部材１１に、各々が長手方向のエンドストッパとして働くエンドプレート３７を装着することが可能である。
【００８１】
エンドプレート３７はまた、半径方向のエンドストッパとしても働き、クッションの圧縮を制限する助けとなり得る。
【００８２】
静止位置では、クッション３６、及びより具体的にはクッションを形成するスリーブの周囲壁が最大厚さを有する。この厚さは、ピン３５の感触を使用者に与えないか又はごく微弱にのみ与えるように定義される。
【００８３】
対照的に、より高い適用圧力が加えられると、クッション３６のエラストマー材料は使用者の体表面とピン３５の先端との間で圧縮される。クッション３６の厚さはピンを隠すには十分でなく、従ってピンが適用体表面にそのマッサージ効果を及ぼす。
【００８４】
図５ａ及び図５ｂは、第２の実施形態の代替形態に係る装置４０を示す。装置４０は、クッション３６を形成するスリーブが熱圧着性エラストマー材料、特にポリオレフィンで作られる点が前出の装置３０と異なる。
【００８５】
従って、回転部材１１の全体の（即ちピン３５を含めた）直径より大きい直径を有するクッション３６が作製され、これによりその装着が容易になる。
【００８６】
この組立体を加熱すると、クッション３６を形成するスリーブに収縮が起こる。最終的な装置４０は滑らかでない周囲面を有する。
【００８７】
図６は、化粧品製品Ｐリザーバ１０１及び分配１０２システム１００に取り付けられたマッサージ及び美容ケア装置５０を示す。
【００８８】
マッサージ及び美容ケア装置５０は、特に、以上に記載したとおりの装置１、１０、２０、３０、４０であってよい。
【００８９】
分配システム１０２は、ポンプ、圧縮可能な可撓性チューブ、エアロゾル又は任意の他の公知の分配システム１０２であってよい。
【００９０】
一般に、分配システム１０２は、少なくとも１つの分配管路１０４によってリザーバ１０１に接続された少なくとも１つの分配オリフィス１０３を備える。分配管路１０４又はオリフィス１０３を選択的に遮断するための遮断システム１０８が装置に追加され得る。
【００９１】
分配オリフィス１０３は、マッサージ及び美容ケア装置５０の周囲面に実質的に対面して開口しており、そのため製品Ｐをクッションの少なくとも外周面にわたって分配することが可能である。
【００９２】
或いは又は加えて、製品Ｐは別途例えば手で塗布され、別個のリザーバに収容されてもよい。
【００９３】
特に適した製品Ｐの例としては、美容ケアクリーム、抗セルライトクリーム、アンチエイジングクリーム、保湿クリーム、足のだるさに効くクリーム及びベイノトニック（ｖｅｉｎｏｔｏｎｉｃ）クリームを挙げることができる。かかる製品は、本願に係る装置による微小循環の刺激が有益となる。
【００９４】
更に、適切な場合には、潜在的に、ピンを支持する回転部材を固定支持部材に交換することが可能である。このときピンは、平面状又は曲面状の外表面から突出するように担持される。
【符号の説明】
【００９５】
１  美容ケア装置
２  回転部材、ローラ
２  ローラ
５  剛性ピン
６  周囲クッション
１０  美容ケア装置
１１  回転部材、ローラ
１５  剛性ピン
１６  周囲クッション
２０  美容ケア装置
２５  剛性ピン
３０  美容ケア装置
３５  剛性ピン
３６  周囲クッション
４０  美容ケア装置
５０  美容ケア装置
【図１ａ】
2018529459.tif 000003
【図１ｂ】
2018529459.tif 000004
【図２ａ】
2018529459.tif 000005
【図２ｂ】
2018529459.tif 000006
【図３ａ】
2018529459.tif 000007
【図３ｂ】
2018529459.tif 000008
【図４ａ】
2018529459.tif 000009
【図４ｂ】
2018529459.tif 000010
【図５ａ】
2018529459.tif 000011
【図５ｂ】
2018529459.tif 000012
【図６】
2018529459.tif 000013
【国際調査報告】
2018529459.tif 000014
2018529459.tif 000015
2018529459.tif 000016